(57)【要約】      （修正有）【課題】旗を組み立てる際に手間がかかるという課題を解決する旗を提供する。【解決手段】支持用ポールが挿通される袋縫い部を有する旗であって、前記袋縫い部は旗の高さ方向に沿って形成される縦袋縫い部１３と旗の上端に設けられ前記高さ方向と直交する方向に沿って所定の幅を有する帯状に形成される横袋縫い部１２とにより構成され、横袋縫い部１２は縦袋縫い部１３との交差部分に当該交差部分から前記支持用ポールが挿通可能なように横袋縫い部１２の一部を切除した切除部１４を備えており、横袋縫い部１２の一方の端部は挿通された前記支持用ポールが貫通しないよう塞がれて形成され、横袋縫い部１２の他方の端部は当該他方の端部の一部に挿通された前記支持用ポールが貫通する開口部を備えると共に、横袋縫い部１２に挿通された前記支持用ポールが貫通しないよう前記支持用ポールを横袋縫い部１２の内部で係止する係止部を当該他方の端部の他の一部に備えて形成されている。【選択図】図１
0003212642.tif 000002
【実用新案登録請求の範囲】
【請求項１】
支持用ポールが挿通される袋縫い部を有する旗であって、
前記袋縫い部は、前記旗の高さ方向に沿って形成される縦袋縫い部と、前記旗の上端に設けられ、前記高さ方向と直交する方向に沿って所定の幅を有する帯状に形成される横袋縫い部と、により構成され、
前記横袋縫い部は、前記縦袋縫い部との交差部分に、当該交差部分から前記支持用ポールが挿通可能なように、前記横袋縫い部の一部を切除した切除部を備えており、
前記横袋縫い部の一方の端部は、挿通された前記支持用ポールが貫通しないよう塞がれて形成され、前記横袋縫い部の他方の端部は、当該他方の端部の一部に、挿通された前記支持用ポールが貫通する開口部を備えると共に、当該他方の端部の他の一部に、前記横袋縫い部に挿通された前記支持用ポールが貫通しないよう、前記支持用ポールを前記横袋縫い部の内部で係止する係止部を備えて形成されている、
旗。
【請求項２】
請求項１に記載の旗であって、
前記横袋縫い部が備える端部のうち、前記開口部を備える端部は、前記支持用ポールが挿通する二つの通路を備えており、
前記２つの通路のうち一方の通路の先端部に前記開口部が位置し、他方の通路の先端部に前記係止部が位置する、
旗。
【請求項３】
請求項２に記載の旗であって、
前記係止部及び前記通路は、前記横袋縫い部の表側に位置する生地と裏側に位置する生地とを重ねあわせて、前記表側に位置する生地と裏側に位置する生地とを接合することで形成した、
旗。
【請求項４】
請求項１乃至３のいずれかに記載の旗であって、
前記係止部は、前記横袋縫い部の上方に位置するよう形成された、
旗。
【請求項５】
請求項１乃至４のいずれかに記載の旗であって、
前記支持用ポールは、前記縦袋縫い部に挿通される縦支持用ポールと、前記横袋縫い部に挿通される横支持用ポールと、を備えて構成され、
前記縦支持用ポールの先端部に装着され、前記横支持用ポールが挿通する縦ポール係止用キャップを備え、
前記縦ポール係止用キャップは、横支持用ポールに挿通された状態で当該横支持用ポールに沿ってスライド可能なよう構成されている、
旗。
【考案の詳細な説明】
【技術分野】
【０００１】
本考案は、旗に係り、特に、袋縫い部に挿通されたポールにて支持される旗に関する。
【背景技術】
【０００２】
店舗などの広告媒体として、店先や道路周辺などに配置されるのぼり旗が使用されている。こののぼり旗は、例えば、長方形に形成されており、高さ方向と、高さ方向と直交する横方向とを、ポールにて支持している。これにより、のぼり旗は、旗面が広げられた状態に維持され、当該旗面に描画された宣伝内容が通行人などに見やすく向けられる。
【０００３】
このような宣伝などに用いることのできるのぼり旗としては、例えば、二枚の生地を重ね合わせて上辺の横袋部に横棒を挿通できるように且つ縦辺の縦袋部に幟竿をそれぞれ挿通することができるように縫製して構成したのぼり旗が知られている（特許文献１）。
【先行技術文献】
【特許文献】
【０００４】
【特許文献１】実用新案登録第３１１３６０９号公報
【考案の概要】
【考案が解決しようとする課題】
【０００５】
しかしながら、上述したのぼり旗では、のぼり旗を組み立てる際には、最初に幟竿を縦袋穴に挿通させ、その後、縦袋穴内に挿通されている幟竿の差し込み口に横袋穴を挿通途中の横棒を通す必要がある。そのため、幟竿の差し込み口に横棒を通すのが困難であった。また、補強として、横棒の一端をのぼり旗に紐で縛り付けることが必要であった。
【０００６】
このように、幟竿と横棒を縦袋穴と横袋穴に挿通することで支持する旗には、幟竿の差し込み口に横棒を通すのが困難であること、横棒を紐で縛る必要があること、などから、組み立てる際に手間がかかるという問題が生じていた。
【０００７】
そこで、本考案の目的は、上述した課題である、旗を組み立てる際に手間がかかる、という課題を解決する旗を提供することにある。
【課題を解決するための手段】
【０００８】
かかる目的を達成するため本考案の一形態である旗は、
支持用ポールが挿通される袋縫い部を有する旗であって、
前記袋縫い部は、前記旗の高さ方向に沿って形成される縦袋縫い部と、前記旗の上端に設けられ、前記高さ方向と直交する方向に沿って所定の幅を有する帯状に形成される横袋縫い部と、により構成され、
前記横袋縫い部は、前記縦袋縫い部との交差部分に、当該交差部分から前記支持用ポールが挿通可能なように、前記横袋縫い部の一部を切除した切除部を備えており、
前記横袋縫い部の一方の端部は、挿通された前記支持用ポールが貫通しないよう塞がれて形成され、前記横袋縫い部の他方の端部は、当該他方の端部の一部に、挿通された前記支持用ポールが貫通する開口部を備えると共に、前記横袋縫い部に挿通された前記支持用ポールが貫通しないよう、前記支持用ポールを前記横袋縫い部の内部で係止する係止部を当該他方の端部の他の一部に備えて形成されている、
という構成を採る。
【考案の効果】
【０００９】
本考案は、以上のように構成されることにより、手間をかけることなく組み立てることが可能な旗を提供することが可能となる。
【図面の簡単な説明】
【００１０】
【図１】本考案の第一の実施形態における旗の構成を示す正面図である。
【図２】本考案の第一の実施形態における旗の構成を示す背面図である。
【図３】図２で示す旗に支持用ポールを挿通した場合の構成を示す背面図である。
【図４】本考案の第一の実施形態における旗を形成する前の構成を示す展開図である。
【図５】本考案の第一の実施形態における旗の係止部の形状の一例を示す図である。
【図６】本考案の第一の実施形態における旗の係止部の形状の一例を示す図である。
【図７】本考案の第一の実施形態における旗の係止部の形状の一例を示す図である。
【図８】本考案の第一の実施形態における旗を組み立てる際の動作を示す図である。
【図９】本考案の第一の実施形態における旗を組み立てる際の動作を示す図である。
【図１０】本考案の第一の実施形態における旗を組み立てる際の動作を示す図である。
【図１１】本考案の第一の実施形態における旗を組み立てる際の動作を示す図である。
【図１２】本考案の第一の実施形態における旗を組み立てる際の動作を示す図である。
【図１３】本考案の第一の実施形態における旗を組み立てる際の動作を示す図である。
【図１４】本考案の第一の実施形態における旗を組み立てる際の動作を示す図である。
【考案を実施するための形態】
【００１１】
＜実施形態１＞
本考案の第一の実施形態を、図１乃至図１４を用いて説明する。
【００１２】
本考案における旗は、「ちち」を用いずに、袋縫い部で支持用ポールを支持する旗である。本考案によると、横ポール（横支持用ポール）を旗に縫い付けることなく組み立てることが可能な旗を提供することが出来る。なお、本実施形態においては、店の広告などを行うために店舗などの店先に設置するのぼり旗について説明する。しかしながら、本考案の実施はそのような場合に限定されない。例えば、スポーツ応援用の旗など、旗の用途に依存することなく実施することが可能である。
【００１３】
（構成）
まず、図１乃至図３を用いて、本実施形態におけるのぼり旗１の大まかな構成について説明する。図１は、本実施形態におけるのぼり旗１の構成を示す正面図である。図２は、のぼり旗１の構成を示す背面図である。図３は、のぼり旗１の背面図であり、横袋縫い部に横ポールを、縦袋縫い部に縦ポール（縦支持用ポール）を、それぞれ挿入した状態の構成を示す背面図である。図１、図２で示すように、本実施形態におけるのぼり旗１は、旗面部１１と、横袋縫い部１２と、縦袋縫い部１３と、切除部１４と、より構成される。
【００１４】
図１で示すように、旗面部１１は、のぼり旗１の大部分を占める部分である。また、横袋縫い部１２は、旗面部１１の上部に位置し、のぼり旗１の上端部分を構成する部分である。縦袋縫い部１３は、図２で示すように、のぼり旗１のうち背面側に位置する部分であり、旗面部１１の中央部を縦断するように設けられている部分である。切除部１４は、横袋縫い部１２のうち、縦袋縫い部１３と交差する部分を切除した部分である。
【００１５】
また、図３で示すように、本実施形態におけるのぼり旗１には、横袋縫い部１２に横ポール２１（横支持用ポール）が挿通され、縦袋縫い部１３に縦ポール２２（縦支持用ポール）が挿通される。ここで、本実施形態において横ポール２１は、係止キャップ２３（縦ポール係止用キャップ）を装着する。係止キャップ２３は、後述するように、横ポール２１に対してスライド移動させることが可能なよう構成されており、係止キャップ２３に縦ポール２２を差し込むことができるよう構成されている。係止キャップ２３に縦ポール２２を差し込むことで、縦ポール２３を固定することになる。
【００１６】
次に、図４を用いて、横袋縫い部および縦袋縫い部を形成する前の段階の、のぼり旗１について説明する。図４は、本実施形態におけるのぼり旗１の展開図である。図４で示すように、本実施形態におけるのぼり旗は一枚の生地より形成される。
【００１７】
生地の段階においては、広告用の文字や絵などが描画される旗面部１１は左右に分かれて構成されている。そして、左右の旗面部１１の真ん中部分には、長方形の形状に形成された、縦袋縫い部１３に相当する部分が設けられている。この部分は、左側の旗面部１１と右側の旗面部１１とが接するように、生地を折り曲げて縫い合わせることで、縦ポール２２（縦支持用ポール）が挿通する縦袋縫い部１３を形成する。なお、この際には、当該縦袋縫い部１３に相当する部分は、図２で示すように筒状になるように折り曲げる。また、左右旗面部１１の上端には、長方形の一辺が斜めに形成された、横袋縫い部１２に相当する部分がある。こちらも、図４で示す点線に沿って折り曲げて縫い合わせることで、横ポール２１（横支持用ポール）が挿通する横袋縫い部１２を形成する。
【００１８】
具体的には、図４で示す旗（の生地）は、幅１０４０ｍｍ、高さ１８５０ｍｍの大きさで構成される。また、本実施形態におけるのぼり旗１は、例えば、０．２ｍｍの厚みを有するトロピカル生地にて形成される。しかしながら、本考案は、旗の大きさや生地に依存することなく実施可能である。本実施形態よりも大きい旗・小さい旗であっても構わないし、ポンジ生地やトロマット生地など、他のいかなる生地、材料を用いても構わない。この場合、旗に使われる生地によっては、実際に縫い合わせることなく縦袋縫い部１３又は横袋縫い部１２を形成しても構わない。また、本実施形態では１枚の生地より構成されるとしたが、複数の生地より構成されても構わない。この場合、左右の旗面部１１が一体として構成されることも考えられる。
【００１９】
次に、図１乃至図７を用いて本考案におけるのぼり旗１の具体的な構成について説明する。本実施形態におけるのぼり旗１は、図４で示すのぼり旗１の生地の、縦袋縫い部１３及び横袋縫い部１２に相当する部分を折り曲げて縫い付けることで形成する。そして、図３で示すように、横袋縫い部１２に横ポール２１を挿通し、縦袋縫い部１３に縦ポール２２を挿通することになる。
【００２０】
図１で示すように、本実施形態におけるのぼり旗１は、上側が長方形の形状をし、下側が下端に向かって狭くなる略三角形の形状をしており、上側と下側とは、滑らかに丸みを持つように接合された形状をしている。また、のぼり旗１の上端には横ポール２１（横支持用ポール）が挿通する横袋縫い部１２が備えられており、図３で示すように、のぼり旗１の背面方向の中央部分には、旗の中央部を高さ方向に貫くように縦ポール２２（縦支持用ポール）が挿通する縦袋縫い部１３が備えられている。
【００２１】
ここで、横袋縫い部１２及び縦袋縫い部１３を形成すると、本実施形態におけるのぼり旗１の大きさは、幅９００ｍｍ、高さ１８００ｍｍになる。しかしながら上述したように、本考案は旗の大きさに依存さず実施可能である。
【００２２】
旗面部１１は、広告用の文字や絵などが描画される部分である。のぼり旗１の大部分を占めるため、その形状はのぼり旗１とほぼ一致する。つまり、上側が長方形の形状をし、下側が下端に向かって狭くなる略三角形の形状をしており、上側と下側とは、滑らかに丸みを持つように接合された形状をしている。また、図１で示すように、旗面部１１を正面から見た場合、旗面部１を遮るようなものは何もない。一方で、図２で示すように、旗面部１１を背面から見た場合、縦ポール２２を挿通するための縦袋縫い部１３が旗面部１を縦断するように設けられている。このような構成により、正面から見た場合に、旗面部１に描画された文字や絵などを遮ることなく、のぼり旗１を立てることが可能となる。
【００２３】
縦袋縫い部１３は、縦ポール２２を挿通する部分である。縦袋縫い部１３の両端は開口しているため、一方の端部から挿通した縦ポール２２は、他方の端部から縦袋縫い部１３の外部へと貫通することが可能である。後述するように、縦袋縫い部１３に縦ポール２２を挿通することで、のぼり旗１を立てることになる。また、上述したように、縦袋縫い部１３は、のぼり旗１の生地のうち縦袋縫い部１３に相当する部分（左右の旗面部１１の間に設けられた長方形の部分）を、筒状に折り曲げて縫い付けることで形成する。この際には、縦ポール２２が挿通可能な径を有し、また、係止キャップ２３が挿入可能な径を有するように縦袋縫い部１３を形成する。このように縦袋縫い部１３を形成することで、縦袋縫い部１３の内部で係止キャップ２３に縦ポール２２を差し込むことが出来るようになる。つまり、縦袋縫い部１３の内部で係止キャップ２３に縦ポール２２を差し込むことで、縦袋縫い部１３に挿通された縦ポール２２を固定することが出来るようになる。なお、縦袋縫い部１３の下端には、縦ポール２２を係止キャップ２３に差し込んだ際に、縦袋縫い部１３の下端と縦ポール２２とを固定する、図示しないベルト部を設けることも可能である。
【００２４】
横袋縫い部１２は、横ポール２１を挿通する部分である。上述したように、横袋縫い部１２は、のぼり旗１の生地のうち横袋縫い部１２に相当する部分を、折り曲げて縫い付けることで形成する。横袋縫い部１２は、横ポール２１が挿通可能なよう形成されており、少なくとも横ポールの２倍の幅を持つように形成されている。また、横袋縫い部１２は、縦袋縫い部１３との交差部分に切除部１４を備えている。つまり、横袋縫い部１２は、縦袋縫い部１３との交差部分から見て、左右に分かれて形成されている。このように横袋縫い部１２と切除部１４を構成することにより、横ポール２１に装着される係止キャップ２３は、旗を組み立てた際には、横袋縫い部１２のうち切除部１４により切除されている部分に位置することになる。つまり、係止キャップ２３は、のぼり旗１を形成した後も、外部に露出していることになる。また、後述するように、本実施形態におけるのぼり旗１を組み立てる際には、まず、横袋縫い部１２に設けられた切除部１４から、横袋縫い部１２の内部に横ポール２１を挿通する。
【００２５】
ここで、横袋縫い部１２の一方の端部は、図５で示すように、当該横袋縫い部１２の中央を長手方向に縫い付ける（通路仕切り部３３）ことにより、２つの通路（閉塞通路３４と開口通路３５）に分かれるように構成されている。具体的には、後述する横袋縫い部１２の一方の端部の端付近に、横袋縫い部１２の上端から下方に向かう縫い目（閉塞部３１、係止部）と、横袋縫い部１２の中央に設けられ当該横袋縫い部の端から内部方向に向かう縫い目（通路仕切り部３３）と、を設けることで、横袋縫い部１２の内部に、一方の通路が塞がれた２つの通路を形成する。このように、横袋縫い部１２に閉塞部３１と通路仕切り部３３とを設けることで、つまり、横袋縫い部１２の内部方向へ向かって曲がるＬ字状に横袋縫い部１２を縫うことで、横袋縫い部１２の一方の端部に、本実施形態における２つの通路を形成する。なお、上述した２つの通路は、両方とも横ポール２１が挿通できるように構成されている。
【００２６】
本実施形態において、閉塞通路３４は、通路仕切り部３３により横袋縫い部１２に設けられる２つの通路のうち、上方に位置する通路である。そのため、当該通路の外側の端部分（横袋縫い部１２の端方向の部分）には、上述したように、横袋縫い部１２の上端から下方に向かって閉塞部３１（係止部）が設けられている。このように、閉塞通路３４の先端に閉塞部３１が位置するため、閉塞通路３４に挿入された横ポール２１は、横袋縫い部１２の外側に貫通することができない。つまり、閉塞通路３４は、当該閉塞通路３４に挿入された横ポール２１を係止する、係止部としての役割を持つことになる。一方、開口通路３５は、通路仕切り部３３により横袋縫い部１２に設けられる２つの通路のうち、下方に位置する通路である。そのため、当該通路の外側の部分は特に縫い付けられていないことになる。つまり、開口通路３５の先端には開口部３２が位置している。このように、開口通路３５の先端に開口部３２が位置するため、開口通路３４に挿入された横ポール２１は、横袋縫い部１２の外側に貫通することが出来る。
【００２７】
また、横袋縫い部１２の両端のうち、２つの通路を備えて構成される方の端部ではない、もう一方の端部は、挿通された横ポール２１が横袋縫い部１２の外部へと貫通することがないように、塞がれて形成されている。
【００２８】
なお、本実施形態では、塞がれて形成されているもう一方の端部の端から閉塞通路３４の切除部１４側の端までの長さは、横ポール２１全体の長さよりも長くなるように形成する。また、横ポール２１の真ん中に係止キャップ２３が来るように横ポール２１を調整した際には、閉塞部３１を備える側の横ポール２１が十分に閉塞通路３４の中に挿入されるように、閉塞通路３４の長さを形成する。しかしながら、本考案の実施は、必ずしも上述した場合に限定されない。例えば伸縮性に富む生地を用いることで、横ポール２１の長さが、塞がれて形成されているもう一方の端部の端から閉塞部３１を備える通路の切除部側の端までの長さより長くなったとしても、本考案を実施できる場合がある。
【００２９】
本実施形態において、閉塞通路３４（閉塞部３１と通路仕切り部３３）は、上述したように、横袋縫い部１２の表側に位置する生地と裏側に位置する生地とを重ねあわせて、横袋縫い部の内側へと曲がるＬ字状に、表側に位置する生地と裏側に位置する生地とを縫い合わせることで形成する。しかし、本考案は、閉塞通路３４をそのような形（Ｌ字状）に形成する場合に限定されずに実施可能である。例えば図６で示すように、横袋縫い部１２をＵ字の形を真ん中で半分にしたような形状に縫い合わせることで、閉塞通路３４を形成しても構わない。また、図７で示すように、Ｕ字型に縫い合わせることで、閉塞通路３４を形成することも可能である。以上のように、本考案の係止部の形状は、必ずしもＬ字状に設けられている必要はなく閉塞通路３４に挿通された横ポール２１が横袋縫い部１２の外部へと貫通しないように、横ポール２１を係止可能な形状に形成されていればよい。
【００３０】
また、図７で示すように、閉塞通路３４は、横袋縫い部１２の上側に位置していなくてもかまわない。また、横袋縫い部１２の上端（又は下端）から形成されていなくても構わない。閉塞通路３４は、開口通路３５を塞がないように（開口部３２を介して横ポール２１が横袋縫い部１２の外部へ貫通することも出来るように）、形成されていればよい。なお、本実施形態では上述したように、のぼり旗１は、トロピカル生地にて形成される。そのため、横袋縫い部１２の表側に位置する生地と裏側に位置する生地とを縫い合わせることで、閉塞部３１を形成するとした。しかしながら、本考案は、縫い合わせることで閉塞部３１を形成する場合に限定されず実施可能である。例えば、のぼり旗１の生地がプラスチック製であった場合などは、縫い合わせなくても何らかの手段で接合すればよい。
【００３１】
横ポール２１は、直線状のポールであり、横袋縫い部１２に挿通することでのぼり旗１を支持するポールである。また、横ポール２１は、横ポール２１の両端部に横棒キャップ２４を装着することが可能なよう構成されている。横棒キャップ２４は、係止キャップ２３を装着した後に、横ポール２１に装着するキャップである。後述する係止キャップ２３に設けられた穴よりも大きく形成されているため、横ポール２１に係止キャップ２３を装着した後に横棒キャップ２４を装着することで、横ポール２１から係止キャップ２３が外れるのを防ぐ事が可能である。縦ポール２２もまた、直線状のポールであり、縦袋縫い部１３に挿通することで、のぼり旗１を支持するポールである。縦袋縫い部１３に挿通した縦ポール２２は、後述するように、係止キャップ２３に差し込むことで固定されることになる。なお、縦ポール２３には、縦ポール２２を係止キャップ２３に差し込んだ際に、縦袋縫い部１３の下端と、当該縦袋縫い部１３の下端に位置することになる縦ポール２２の部分と、を固定する、図示しないリング部を設けることも可能である。
【００３２】
係止キャップ２３は、横ポール２１に装着されるキャップである。係止キャップ２３は、回転可能なよう構成されたネジ部と、横ポール２１を挿通するための穴が空けられた横ポール挿入部と、縦ポールを差し込むための縦ポール差込部と、より構成される。
【００３３】
横ポール挿入部は、当横ポール挿入部に空けられた穴に横ポール２１を通すことで、横ポール２１が係止キャップ２３を装着することが出来るようにする部分である。横ポール２１は、係止キャップ２３に空けられた穴を通すことで係止キャップ２３を装着しているため、横ポール２１をスライド移動させることで、横ポール２１のうち係止キャップ２３の右側から出る部分と、左側から出る部分との長さの比を、調節することが可能である。ネジ部は、横ポール挿入部に設けられた穴の内部と連動して可動する部分である。例えば、ネジ部を締めることで、横ポールに設けられた穴の径を狭めたり、横ポール２１がスライド移動するのを阻害するような突出部を突出させることが出来るよう構成されている。また、ネジ部は、ネジ部を緩めることで、横ポール２１が支障なくスライド移動できるように、例えば突出部を引っ込めることができるよう構成されている。このようにネジ部を構成することにより、横ポール２１がスライド移動するか否かを、ネジ部により制御することが可能である。縦ポール差し込み部は、縦ポール２２を差し込む部分である。当該縦ポール差込部に縦ポール２２を差し込むことで、縦袋縫い部１３を挿通する縦ポール２２を固定することが出来る。
【００３４】
（動作）
次に、上述したような構成ののぼり旗１を組み立てる際の動作について、図８乃至図１４を参照して説明する。
【００３５】
本実施形態におけるのぼり旗１を組み立てる際には、まず、係止キャップ２３の横ポール挿入部に設けられた穴に横ポール２１を通すことで、係止キャップ２３を横ポール２１に装着する。この際には、上述したようにネジ部を回すことで、横ポール２１がスライド移動するか否かを制御することが可能である。次に、横ポール２１の両端に、横棒キャップ２４を装着する。横棒キャップ２４を装着することで、上述したように、横ポール２１から係止キャップ２３が外れるのを防ぐ事が出来る。なお、本実施形態では横ポール２１に横棒キャップ２４を装着したが、横棒キャップ２４は装着しなくても、本考案を実施することは可能である。
【００３６】
次に、図８で示すように、横袋縫い部１２に設けられた切除部１４から、開口部３２を備える方の（２つの通路を有する方の）横袋縫い部１２の内部へと、横ポール２１を挿通する。ここで、開口部３２を備える方の横袋縫い部１２には、上述したように、閉塞通路３４と開口通路３５とが設けられている。まずは、図９で示すように、開口通路３５を通過するように横ポール２１を挿通する。
【００３７】
横ポール２１の挿通は、図１０で示すように、係止キャップ２３が切除部１４に相当する位置に来るように行う。また、横ポール２１のうち挿入していない方の端部が、当該横ポール２１を挿入している横袋縫い部１２の挿入口付近に来るまで横ポール２１の挿入を行う。この際には、横ポール２１に沿って係止キャップ２３をスライド移動させることで、横ポール２１のうち挿入していない方の端部を、挿入口まで十分に近づけることが可能である。なお、本実施形態では、係止キャップ２３のネジ部を締めることで、係止キャップ２３のスライド移動を制御することが可能である。そのため、ネジ部を用いることで、容易に横ポール２１を横袋縫い部１２の内部に挿入させることが出来る。
【００３８】
次に、横ポール２１のうち、横袋縫い部１２へ挿通していない方（つまり、短くした方の横ポール２１）を、もう一方の（横ポール２１が貫通しないように塞いで形成されている方、つまり、開口部３２を備えている方とは別の）端部を備える横袋縫い部１２の奥へと挿通する。もう一方の横袋縫い部１２への挿通は、例えば係止キャップ２３のネジ部を緩めるなどして、横ポール２１をスライド移動させることで行う。
【００３９】
上述したように、本実施形態では、塞がれて形成されているもう一方の端部の端から閉塞部３１を備える通路の切除部側の端までの長さは、横ポール２１全体の長さよりも長くなるように形成している。そのため、本実施形態においては、塞いで形成されている方の端部の奥まで横ポール２１を挿通した場合、図１１で示すように、開口部３２を備えている側の通路に挿通した横ポール２１（開口部が位置する側の横ポール２１）の先端部（横棒キャップの先の部分）が、通路仕切り部３３の内側（切除部側）の端よりも内側（切除部側）に来ることになる。そこで、次に、開口部３２を備える側の横袋縫い部１２に挿通した横ポール２１を、図１２で示すように、閉塞通路３４の方へ挿通させる。つまり、貫通しないように塞いで形成されている方の端部の奥まで横ポール２１を挿通させることで、開口部３２が位置している側の横ポール２１が挿通する通路を、開口通路３５から閉塞通路３４へと変更する。これにより、横ポール２１は、塞がれて形成されている端部と、閉塞部３１により塞がれている通路（閉塞通路３４、係止部）と、に挿通していることになる。なお、この開口通路３５から閉塞通路３４への横ポール２１の移動も横ポール２１をスライド移動させることで行うことが出来る。
【００４０】
その後、図１３で示すように、係止キャップ２３が横ポール２１の真ん中に位置するように横ポール２１を調整して、係止キャップ２３のネジ部を締める。これにより、横ポール２１が固定されることになる。本実施形態では、横ポール２１の真ん中に係止キャップ２３が来るように横ポール２１を調整した際には、閉塞部３１を備える側の横ポール２１が十分に閉塞部３１を備える通路の中に挿入されるように、閉塞部３１を備える通路の長さを形成している。そのため、横ポール２１の真ん中に係止キャップ２３が来るように横ポール２１を調整しても、閉塞通路３４の中に十分な長さ横ポール２１を挿通することが可能である。
【００４１】
そして、横ポール２１を上述した動作により固定した後は、図１４で示すように、縦袋縫い部１３を挿通する縦ポール２２を、係止キャップ２３に差し込むことで固定する。また、この際には、縦袋縫い部１３が備えるベルト部を、縦ポール２２が備えるリング部に通すことで、縦袋縫い部１３の下端と縦ポール２２とを固定することも可能である。これにより、横袋縫い部１２に挿通した横ポール１２と、縦袋縫い部１３に挿通した縦ポール１３とが固定されることになる。つまり、のぼり旗１の組み立てが完了する。
【００４２】
このように、切除部１４から横ポール２１を横袋縫い部１２の内部に挿入することにより、横ポール２１を横袋縫い部１２の内部に挿通する前に、横ポール２１に係止キャップ２３を装着させることが可能になる。そして、係止キャップ２３を用いることで、縦ポール２２を容易に固定することが出来るようになる。そのため、手間をかけることなくのぼり旗１を組み立てることが可能になる。また、このように構成することにより、のぼり旗１を組み立てる際に横ポールをのぼり旗１に縛り付ける必要がなくなる。そのため、より手間をかけることなくのぼり旗１を組み立てることが出来るようになる。
【００４３】
以上のように構成することで、手間をかけることなく、袋縫い部で支持する旗を組み立てることが出来るようになる。
【００４４】
なお、本実施形態では、のぼり旗１又は旗面部１１の形状は、上側が長方形の形状をし、下側が下端に向かって狭くなる略三角形の形状をしており、上側と下側とは、滑らかに丸みを持つように接合する形状をしている場合を示した。しかしながら本考案は、のぼり旗１又は旗面部１１の形状に依存せず実施可能である。例えば、長方形に形成されていても構わないし、横袋縫い部が底辺を構成する逆三角形（例えば底辺よりも高さを有する二等辺三角形）に形成されていても構わない。
【００４５】
＜付記＞
上記実施形態の一部又は全部は、以下の付記のようにも記載されうる。以下、本考案における旗の概略を説明する。但し、本考案は、以下の構成に限定されない。
【００４６】
（付記１）
支持用ポールが挿通される袋縫い部を有する旗であって、
前記袋縫い部は、前記旗の高さ方向に沿って形成される縦袋縫い部と、前記旗の上端に設けられ、前記高さ方向と直交する方向に沿って所定の幅を有する帯状に形成される横袋縫い部と、により構成され、
前記横袋縫い部は、前記縦袋縫い部との交差部分に、当該交差部分から前記支持用ポールが挿通可能なように、前記横袋縫い部の一部を切除した切除部を備えており、
前記横袋縫い部の一方の端部は、挿通された前記支持用ポールが貫通しないよう塞がれて形成され、前記横袋縫い部の他方の端部は、当該他方の端部の一部に、挿通された前記支持用ポールが貫通する開口部を備えると共に、前記横袋縫い部に挿通された前記支持用ポールが貫通しないよう、前記支持用ポールを前記横袋縫い部の内部で係止する係止部を当該他方の端部の他の一部に備えて形成されている、
旗。
【００４７】
この構成によると、切除部を備える横袋縫い部の一方の端部が塞がれて形成されており、もう一方の端部は、開口部と係止部とを備えている。このため、切除部から支持用ポールを挿入することが出来るようになり、あらかじめ、横方向の支持用ポールに、縦方向の支持用ポールとの連結部品を装着させた上で、横方向の支持用ポールを横袋縫い部の内部に挿入することが可能になる。このため、横方向の支持用ポールを横袋縫い部の内部に挿通させながら縦方向の支持用ポールと連結させる必要がなくなり、容易に旗を組み立てることが可能になる。また、横方向の支持用ポールが係止部にて係止されるため、旗を組み立てる際に縛る必要がなくなる。そのため、より容易に旗を組み立てることが可能になる。
【００４８】
（付記２）
付記１に記載の旗であって、
前記横袋縫い部が備える端部のうち、前記開口部を備える端部は、前記支持用ポールが挿通する二つの通路を備えており、
前記２つの通路のうち一方の通路の先端部に前記開口部が位置し、
他方の通路は、当該他方の通路に挿通された前記支持用ポールが貫通しないよう、当該他方の通路を塞ぐ閉塞部を設けることで前記係止部を構成した、
旗。
【００４９】
この構成によると、開口部を備える端部は、支持用ポールが挿通する２つの通路を備えて構成されている。また、当該２つの通路は、先端部に開口部が位置する通路と、閉塞部にて塞がれている通路と、より構成されている。このため、一方の通路に侵入した支持用ポールは横袋縫い部の外部へと貫通することが出来る一方で、他方の通路に侵入した支持用ポールは、横袋縫い部１２外へ貫通することなく横袋縫い部１２内で係止することが出来るようになる。その結果、より強く係止されることになり、より強固な旗を容易に旗を組み立てることが出来るようになる。
【００５０】
（付記３）
付記２に記載の旗であって、
前記係止部及び前記通路は、前記横袋縫い部の表側に位置する生地と裏側に位置する生地とを重ねあわせて、前記表側に位置する生地と裏側に位置する生地とを接合することで形成した、
旗。
【００５１】
この構成によると、係止部及び通路が、横袋縫い部の表側に位置する生地と裏側に位置する生地とを重ねあわせて、前記表側に位置する生地と裏側に位置する生地とを接合することで形成されることになる。これによると、簡単な手法で係止部及び通路を形成することが出来る。その結果、簡単な手法で、組み立てる際に縛る必要のない旗を形成することが出来るようになる。
【００５２】
（付記４）
付記１乃至３に記載の旗であって、
前記係止部は、前記横袋縫い部の上方に位置するよう形成された、
旗。
【００５３】
これによると、係止部（閉塞部）は横袋縫い部の上方に位置することになる。これによると、より効果的に、支持用ポールを係止することが可能になる。
【００５４】
（付記５）
付記１乃至４に記載の旗であって、
前記支持用ポールは、前記縦袋縫い部に挿通される縦支持用ポールと、前記横袋縫い部に挿通される横支持用ポールと、を備えて構成され、
前記縦支持用ポールの先端部に装着され、前記横支持用ポールが挿通する縦ポール係止用キャップを備え、
前記縦ポール係止用キャップは、横支持用ポールに挿通された状態で当該横支持用ポールに沿ってスライド可能なよう構成されている、
旗。
【符号の説明】
【００５５】
１  のぼり旗
１１  旗面部
１２  横袋縫い部
１３  縦袋縫い部
１４  切除部
２１  横ポール
２２  縦ポール
２３  係止キャップ
２４  横棒キャップ
３１  閉塞部
３２  開口部
３３  通路仕切り部
３４  閉塞通路部
３５  開口通路部
【図１】
0003212642.tif 000003
【図２】
0003212642.tif 000004
【図３】
0003212642.tif 000005
【図４】
0003212642.tif 000006
【図５】
0003212642.tif 000007
【図６】
0003212642.tif 000008
【図７】
0003212642.tif 000009
【図８】
0003212642.tif 000010
【図９】
0003212642.tif 000011
【図１０】
0003212642.tif 000012
【図１１】
0003212642.tif 000013
【図１２】
0003212642.tif 000014
【図１３】
0003212642.tif 000015
【図１４】
0003212642.tif 000016